(57)【特許請求の範囲】
【請求項１】
表示装置が収容された筐体と、
前記筐体内に設けられた片持梁構造の第１突出部と、
前記筐体内に設けられた第２突出部と、
前記第１突出部に固定された第１面と、この第１面とは反対側に位置し前記第２突出部にゴム部材を介して当接された第２面とを有し、前記表示装置の側面に当接して前記表示装置を支持した支持部材と、
を有した情報処理装置。
【請求項２】
前記第１突出部は、前記筐体内で前記表示装置の側面に対向するとともに、前記表示装置の表示画面に対して起立して設けられていることを特徴とする請求項１に記載の情報処理装置。
【請求項３】
前記筐体は、前記表示装置の背面を覆う背面カバー部材と、前記表示装置の表面の周縁を覆うとともに、前記背面カバー部材よりも剛性が低い表面マスク部材と、を備え、
前記第１突出部は、前記表面マスク部材に設けられていることを特徴とする請求項１または請求項２に記載の情報処理装置。
【請求項４】
前記筐体は、前記表示装置の背面を覆う背面カバー部材と、前記表示装置の表面の周縁を覆う表面マスク部材と、を備え、
前記第１突出部は、前記背面カバー部材に設けられているとともに、前記支持部材の前記第１面を固定しやすいように傾斜した状態で立設されていることを特徴とする請求項３に記載の情報処理装置。
【請求項５】
前記筐体および前記第１突出部は、プラスチックを材質として一体的に形成されていることを特徴とする請求項１〜４のいずれか１項に記載の情報処理装置。
【請求項６】
前記第１突出部および前記支持部材は、前記表示装置の左右両側に配置されていることを特徴とする請求項１〜５のいずれか１項に記載の情報処理装置。
【発明の詳細な説明】
【技術分野】
【０００１】
本発明は、液晶表示装置を有する情報処理装置に関し、特に情報処理装置における液晶表示装置の支持構造に関する。
【背景技術】
【０００２】
従来文献（特許文献１）には、液晶表示装置を有する情報処理装置が示されている。この従来文献には、液晶表示装置の左右側面を、屈曲したヒンジ金具により支持することにより、液晶表示装置にかかる振動や衝撃を低減することが記載されている。
【特許文献１】特開平２００３−２１６２７３号公報
【発明の開示】
【発明が解決しようとする課題】
【０００３】
液晶表示装置を有する情報処理装置では、液晶表示装置に作用する衝撃をさらに緩和する要求がある。
【０００４】
本発明は、上記の課題を解決するためになされたもので、従来とは異なる液晶表示装置の支持構造で、液晶表示装置に作用する衝撃を緩和することが可能な情報処理装置を提供することを目的とする。
【課題を解決するための手段】
【０００５】
上述した目的を達成するために、本発明に係る情報処理装置は、表示装置が収容された筐体と、前記筐体内に設けられた片持梁構造の第１突出部と、前記筐体内に設けられた第２突出部と、前記第１突出部に固定された第１面と、この第１面とは反対側に位置し前記第２突出部にゴム部材を介して当接された第２面とを有し、前記表示装置の側面に当接して前記表示装置を支持した支持部材と、を有することを特徴とする。
【発明の効果】
【０００６】
本発明によれば、従来とは異なる液晶表示装置の支持構造で、液晶表示装置に作用する衝撃を緩和することが可能な情報処理装置を提供することができる。
【発明を実施するための最良の形態】
【０００７】
以下、添付図面を参照して、本発明の好適な実施形態について詳細に説明する。なお、説明において、同一要素又は同一機能を有する要素には、同一符号を用いることとし、重複する説明は省略する。
【０００８】
図１に示されるように、ノートブック型のパーソナルコンピュータ（情報処理装置）１０は、コンピュータ本体１１と、ディスプレイユニット１２とから構成されている。ディスプレイユニット１２には、ＬＣＤ（Liquid  Crystal  Display）１７から構成される液晶表示装置が組み込まれており、ＬＣＤ１７の表示画面は、ディスプレイユニット１２の略中央に位置されている。
【０００９】
ディスプレイユニット１２は、コンピュータ本体１１に対して開放位置と閉塞位置との間を回動自在に取り付けられている。コンピュータ本体１１は、薄い箱型の筐体を有しており、その上面には、キーボード１３、パーソナルコンピュータ１０の電源をＯＮ／ＯＦＦするためのパワーボタン１４、入力操作パネル１５、タッチパッド１６及びスピーカ１８等が配置されている。
【００１０】
ディスプレイユニット１２において、液晶表示装置１７はケース部材により覆われて構成されている。ケース部材は、画像を表示するための表示画面を露出させて液晶表示装置１７を表示画面側から覆う表面マスク部材（表面側部位）２０と、この表面マスク部材２０と連結し液晶表示装置１７を表示画面とは反対の背面側から覆う背面カバー部材（背面側部位）３２と、を有する。
【００１１】
図２および図３は、ディスプレイユニット１２から液晶表示装置１７および背面カバー部材３２を取り外した後に、表面マスク部材２０の内部を背面側から見た状態が示されている。図４は、図２の左側部分の拡大図であり、図５は、図３の左側部分の拡大図である。図４および図５は左側部分のみを示しているが、右側部分も同様な構造となっている。図６は、図４のＶＩ‐ＶＩ断面の断面図である。但し、図６では、表面マスク部材２０だけでなく、液晶表示装置１７や背面カバー部材３２なども描かれている。
【００１２】
表面マスク部材２０は、液晶表示装置１７の周縁に沿って形成された略矩形形状の部材であり、その中央には表示画面１７ａ（図６参照）に対応する開口３０が形成されている。一方、背面カバー部材３２は、液晶表示装置１７の背面側の全域を覆う略矩形形状の部材である。
【００１３】
表面マスク部材２０は、表示画面１７ａを除いて液晶表示装置１７の表面側を覆う表面側部位２０ａと、液晶表示装置１７の側方において表面側部位２０ａから背面カバー部材３２まで延設される側壁部位２０ｂとを有している（図６参照）。なお、表面マスク部材２０の下端には、ディスプレイユニット１２をコンピュータ本体１１に対して回動自在とするために、２つのヒンジ部材２８Ｌ，２８Ｒが設けられている。
【００１４】
ケース部材２０，３２の内側において、液晶表示装置１７の左側側方および右側側方には、液晶表示装置１７に作用する衝撃を吸収するために２つの衝撃緩和用の支持板部材２２Ｌ，２２Ｒが配置されている。支持板部材２２Ｌ，２２Ｒは、金属を材質とする帯状の部材である。２つの支持板部材２２Ｌ，２２Ｒは、液晶表示装置１７の側面に当接して液晶表示装置１７を保持し、液晶表示装置１７を衝撃に対して保護するとともに、液晶表示装置１７の位置を規制する。
【００１５】
図４に示されるように、支持板部材２２Ｌ，２２Ｒは、ヒンジ部材２８Ｌ，２８Ｒに近い端部２２ｂと、ヒンジ部材２８Ｌ，２８Ｒから遠い端部２２ｃと、液晶表示装置１７に当接して液晶表示装置１７を支持する２つの支持部２２ａと、支持部２２ａと連続しており液晶表示装置１７から退避する２つの傾斜部２２ｅと、傾斜部２２ｅと連続する固定部２２ｄと、を有している。支持板部材２２Ｌ，２２Ｒの両側の端部２２ｂ，２２ｃは、ネジ部材を用いて表面マスク部材（ケース部材）２０にネジ止め固定されている。
【００１６】
図５に示されるように、ケース部材の内側において支持板部材２２Ｌ，２２Ｒの固定部２２ｄに対応する位置には、衝撃緩和用の突出部材２４が表示画面に対して起立して設けられている。より詳しくは、衝撃緩和用の突出部材２４は、表面マスク部材２０から背面カバー部材３２に向けて立設されている。衝撃緩和用の突出部材２４は、表面マスク部材２０から延びる片持ち梁である。衝撃緩和用の突出部材２４は、表面マスク部材２０と共に、プラスチックを材質として一体的に形成されている。支持板部材２２Ｌ，２２Ｒの固定部２２ｄは、ネジ部材である締結部材２６により突出部材２４に固定されている。
【００１７】
図６を参照して、この固定状態をより詳しく説明する。締結部材２６には一端に頭部が形成されると共に他端に雄ネジが形成されている。また、突出部材２４には貫通孔が形成されており、支持板部材２２Ｌ，２２Ｒの固定部２２ｄには雌ネジが形成されている。そして、締結部材２６の雄ネジが突出部材２４の貫通孔を通して雌ネジに螺着されることにより、支持板部材２２Ｌ，２２Ｒの固定部２２ｄが突出部材２４に締結される。なお、突出部材２４が表面マスク部材２０から立設されているため、製造時には開口３０の位置に工具を配置して、支持板部材２２Ｌ，２２Ｒの固定部２２ｄを突出部材２４に締結することができる。よって、支持板部材２２Ｌ，２２Ｒと突出部材２４との締結が容易となっている。
【００１８】
なお、突出部材２４付近において支持板部材２２Ｌ，２２Ｒが折れ曲がって液晶表示装置１７から退避することにより、締結部材２６の頭部が液晶表示装置１７に干渉することが防止されている。なお、表面マスク部材２０には、背面カバー部材３２に向かって延びる複数の板状突起４０が支持板部材２２Ｌ，２２Ｒに沿って形成されており、複数の板状突起４０の各々にはゴム部材４２が固着されている。これらのゴム部材４２は、支持板部材２２Ｌ，２２Ｒの支持部２２ａに当接している。
【００１９】
本実施形態によれば、コンピュータ１０が落下するなどして液晶表示装置１７に衝撃が作用したときに、液晶表示装置１７から支持板部材２２Ｌ，２２Ｒに衝撃力が伝達され、さらに支持板部材２２Ｌ，２２Ｒから突出部材２４に衝撃力が伝達される。衝撃力を受けた時に、支持板部材２２Ｌ，２２Ｒは撓んで衝撃力を吸収する。またに、衝撃力を受けた時に、突出部材２４は撓んで衝撃力を吸収する。このようにして液晶表示装置１７に作用する衝撃を、好適に緩和することができる。なお、液晶表示装置１７から支持板部材２２Ｌ，２２Ｒに伝達された衝撃力は、支持板部材２２Ｌ，２２Ｒに当接したゴム部材によっても吸収されている。
【００２０】
また、本実施形態では、表面マスク部材２０および背面カバー部材３２からなるケース部材の内部で、支持板部材２２Ｌ，２２Ｒが突出部材２４にネジ固定されるため、ネジ固定に必要な孔部は、ユーザが視認可能なコンピュータ１０の外観面に露出しない。よって、コンピュータ１０の外観を美しく保つことができる。また、ネジ固定に必要な孔部を隠すためのシールを不要とすることができ、コンピュータ１０のコストを削減することもできる。また、本実施形態では、衝撃緩和用の支持板部材２２Ｌ，２２Ｒの中間部分の１箇所のみで、支持板部材２２Ｌ，２２Ｒを突出部材２４に固定するため、組み立て工数が比較的に少なく済み、コンピュータ１０の組み立てが容易である。
【００２１】
なお、本実施形態では、衝撃緩和用の突出部材２４は、表面マスク部材２０から背面カバー部材３２に向けて立設されている。表面マスク部材２０は背面カバー部材３２と比較して板厚が薄く板幅が狭いため、剛性が低い。このように剛性の低い表面マスク部材２０から突出部材２４を立設することにより、突出部材２４の撓み量を大きくして衝撃をより緩和することができる。但し、他の実施形態では、衝撃緩和用の突出部材２４は、背面カバー部材３２から表面マスク部材２０に向けて立設されてもよい。この場合、衝撃緩和用の突出部材２４を傾斜した状態で立設することにより、製造時の工具の配置位置を確保して、突出部材２４と支持板部材２２Ｌ，２２Ｒとを固定しやすくすることが好ましい。
【００２２】
なお、本実施形態では、衝撃緩和用の突出部材２４および支持板部材２２Ｌ，２２Ｒの固定部２２ｄの組み合わせは１つだけであるが、他の実施形態では、衝撃緩和用の突出部材２４および支持板部材２２Ｌ，２２Ｒの固定部２２ｄの組み合わせは２つ以上であってもよい。
【００２３】
また、本実施形態では、支持板部材２２Ｌ，２２Ｒの固定部２２ｄは突出部材２４にネジ止めにより固定されたが、他の情報処理装置では、支持板部材２２Ｌ，２２Ｒは突出部材２４に他の締結方法で固定されてもよい。他の締結方法としては、例えば、上記のネジ部材２６に代えてプラスチック製の棒部材を用い、支持板部材２２Ｌ，２２Ｒの固定部２２ｄに形成された孔部に通してからその先端を溶着する方法などである。
【図面の簡単な説明】
【００２４】
【図１】本実施形態に係るノートブック型パーソナルコンピュータを示す斜視図である。
【図２】背面側から見た表面マスク部材を示す平面図である。
【図３】背面側から見た表面マスク部材を示す斜視図である。
【図４】図２の一部を拡大した平面図である。
【図５】図３の一部を拡大した斜視図である。
【図６】図４のＶＩ‐ＶＩ断面を示す断面図である。
【符号の説明】
【００２５】
１０…パーソナルコンピュータ、１１…コンピュータ本体、１２…ディスプレイユニット、１３…キーボード、１４…パワーボタン、１５…入力操作パネル、１６…タッチパッド、１７…液晶表示装置、１７ａ…表示画面、１８…スピーカ、２０…表面マスク部材（ケース部材）、２０ａ…表面側部位、２０ｂ…側壁部位、２２Ｌ，２２Ｒ…支持板部材、２２ａ…支持部、２２ｂ，２２ｃ…端部、２２ｄ…固定部、２２ｅ…傾斜部、２４…突出部材、２６…締結部材、２８Ｌ，２８Ｒ…ヒンジ部材、３０…開口、３２…背面カバー部材（ケース部材）、４０…板状突起、４２…ゴム部材。
【図１】
0004818195.tif 000002
【図２】
0004818195.tif 000003
【図３】
0004818195.tif 000004
【図４】
0004818195.tif 000005
【図５】
0004818195.tif 000006
【図６】
0004818195.tif 000007